(57)【要約】【課題】ディジタル画像データの通信料を所定の上限額以内に容易に抑えることのできる画像送信装置及びディジタルカメラを提供する。【解決手段】送信したデータ量に応じた通信料を徴収する通信ネットワークを利用してディジタル画像データを送信する画像送信装置であって、ディジタル画像データを選択（Ｓ１１０）するための選択手段と、選択手段で選択されたディジタル画像データの見積通信料を、データ量に応じた通信料を求めるための通信料情報に基づいて送信前にユーザに通知（Ｓ１１５）する通信料通知手段と、選択手段で選択されたディジタル画像データを送信する送信手段と、を備える。【選択図】  図１
2004221731.tif 000002
【特許請求の範囲】
【請求項１】
送信したデータ量に応じた通信料を徴収する通信ネットワークを利用してディジタル画像データを送信する画像送信装置であって、
ディジタル画像データを選択するための選択手段と、
前記選択手段で選択されたディジタル画像データの見積通信料を、データ量に応じた通信料を求めるための通信料情報に基づいて送信前にユーザに通知する通信料通知手段と、
前記選択手段で選択されたディジタル画像データを送信する送信手段と、
を備えることを特徴とする画像送信装置。
【請求項２】
前記見積通信料が所定の上限額を越えるときユーザに警告する警告手段を更に備えることを特徴とする請求項１に記載の画像送信装置。
【請求項３】
前記送信手段は、前記見積通信料が所定の上限額以内のときのみ送信することを特徴とする請求項１又は２に記載の画像送信装置。
【請求項４】
前記見積通信料が所定の上限額を越えるとき前記選択手段で選択されたディジタル画像データのデータ量を前記上限額以内で送信できるデータ量に減らすデータ量削減手段を更に備えることを特徴とする請求項１又は２に記載の画像送信装置。
【請求項５】
前記データ量削減手段は、前記ディジタル画像データの圧縮率を増大させることでデータ量を減らすことを特徴とする請求項４に記載の画像送信装置。
【請求項６】
前記データ量削減手段は、前記ディジタル画像データの画素数を低減することでデータ量を減らすことを特徴とする請求項４又は５に記載の画像送信装置。
【請求項７】
画素数を設定するための画素数設定手段を更に備え、
前記データ量削減手段は、前記ディジタル画像データの画素数を前記画素数設定手段で設定された画素数に低減することを特徴とする請求項６に記載の画像送信装置。
【請求項８】
前記データ量削減手段は、前記ディジタル画像データをクロッピングすることでデータ量を減らすことを特徴とする請求項４〜７のいずれか一項に記載の画像送信装置。
【請求項９】
クロッピングする領域を設定するための領域設定手段を更に備え、
前記データ量削減手段は、前記領域設定手段で設定された領域をクロッピングすることを特徴とする請求項８に記載の画像送信装置。
【請求項１０】
前記通信料情報を入力するための通信料入力手段を更に備えることを特徴とする請求項１〜９のいずれか一項に記載の画像送信装置。
【請求項１１】
送信したデータ量に応じた通信料を徴収する通信ネットワークを利用してディジタル画像データを送信する送信装置に前記ディジタル画像データを出力するディジタルカメラであって、
被写体の光学像を結像させる光学系と、
結像された前記光学像をディジタル画像データに変換して不揮発性メモリに格納する撮像手段と、
前記不揮発性メモリに格納されたディジタル画像データの中からディジタル画像データを選択するための選択手段と、
前記選択手段で選択されたディジタル画像データの見積通信料を、データ量に応じた通信料を求めるための通信料情報に基づいて出力前にユーザに通知する通信料通知手段と、
前記選択手段で選択されたディジタル画像データを前記送信装置に出力する出力手段と、
を備えることを特徴とするディジタルカメラ。
【発明の詳細な説明】
【０００１】
【発明の属する技術分野】
本発明は画像送信装置及びディジタルカメラに関する。
【０００２】
【従来の技術】
送信したデータ量に応じた通信料を徴収する通信ネットワークとして例えばパケット通信網が知られている。携帯電話による電子メールの送信などは一般にパケット通信網により行われ、通信料は送受信したパケット数に応じて徴収される。
パケット通信網を利用して電子メールを送信する携帯電話の中には、ディジタルカメラをケーブル接続でき、ディジタルカメラで撮影したディジタル画像データを電子メールに添付して送信できるものが知られている。
【０００３】
また、送信の終了の度にその送信に対する通信料を基地局から受信して表示する携帯電話が知られている（例えば、特許文献１参照。）。特許文献１に記載の携帯通信機（携帯電話）によると、通信（送信）済みの各通信の使用料金（通信料）を知ることができる。
【０００４】
【特許文献１】
特開平１０−２４３１０１号公報
【０００５】
【発明が解決しようとする課題】
しかしながら、ディジタル画像データを所定の上限額以内の通信料で送信したい場合、従来の携帯電話はユーザにとって不便であるという問題がある。
一回当たりの送信の通信料を予め設定した所定の上限額以内に抑えることで累積の通信料を低減しようとすることは一般に行われることである。しかしながら、従来の携帯電話は送信が終了した後に通信料を知らせるため、送信してしまった後で通信料が上限額を越えていたことを知らされてもユーザは何もできない。このためディジタル画像データを所定の上限額以内の通信料で送信したい場合、ユーザは画素数を減らすなどしてデータ量を減らすべきか否かを例えばパケット単価などに基づいて送信前に自ら判断しなければならない。場合によっては誤ってデータ量を減らすべきところを減らさずに送信してしまうことも起き得る。
【０００６】
本発明は、かかる問題に鑑みて創作されたものであって、ディジタル画像データの通信料を所定の上限額以内に容易に抑えることのできる画像送信装置及びディジタルカメラを提供することを目的とする。
【０００７】
【課題を解決するための手段】
上記目的を達成するため、本発明に係る画像送信装置は、送信したデータ量に応じた通信料を徴収する通信ネットワークを利用してディジタル画像データを送信する画像送信装置であって、ディジタル画像データを選択するための選択手段と、選択手段で選択されたディジタル画像データの見積通信料を、データ量に応じた通信料を求めるための通信料情報に基づいて送信前にユーザに通知する通信料通知手段と、選択手段で選択されたディジタル画像データを送信する送信手段と、を備えることを特徴とする。この画像送信装置によると、ユーザはディジタル画像データの見積通信料を送信前に知ることができる。このため、見積通信料がユーザが予め決めていた上限額を超えている場合、ユーザはディジタル画像データの画素を低減するなど上限額以内で送信できるデータ量に減らすための対応を送信前に行うことができる。よってこの画像送信装置によると、ディジタル画像データの通信料を所定の上限額以内に容易に抑えることができる。
【０００８】
更に、本発明に係る画像送信装置は、見積通信料が所定の上限額を越えるときユーザに警告する警告手段を更に備えることを特徴とする。この画像送信装置によると、選択したディジタル画像データの通信料が所定の上限額を越えていることを送信前に容易に知ることができる。
更に、本発明に係る画像送信装置の送信手段は、見積通信料が所定の上限額以内のときのみ送信することを特徴とする。見積通信料が所定の上限額を越えているときは送信しないため、ユーザはディジタル画像データのデータ量を減らすなどの対応を行ってから送信しなければならない。よってこの画像送信装置によると、ディジタル画像データの通信料を所定の上限額以内に容易に且つより確実に抑えることができる。
【０００９】
更に、本発明に係る画像送信装置は、見積通信料が所定の上限額を越えるとき選択手段で選択されたディジタル画像データのデータ量を上限額以内で送信できるデータ量に減らすデータ量削減手段を更に備えることを特徴とする。この画像送信装置によると、ディジタル画像データの通信料を所定の上限額以内に更に容易に抑えることができる。
【００１０】
更に、本発明に係る画像送信装置のデータ量削減手段は、ディジタル画像データの圧縮率を増大させることでデータ量を減らすことを特徴とする。この画像送信装置によると、圧縮率の増大によりディジタル画像データの画質が劣化する反面、ディジタル画像データが表す画像の大きさを維持しつつ送信できる。
更に、本発明に係る画像送信装置のデータ量削減手段は、ディジタル画像データの画素数を低減することでデータ量を減らすことを特徴とする。この画像送信装置によると、ディジタル画像データの画素数を低減する、すなわちディジタル画像データが表す画像の大きさを縮小する。画像の大きさが縮小される反面、画質をほぼ維持しつつ送信できる。
【００１１】
更に、本発明に係る画像送信装置は、画素数を設定するための画素数設定手段を更に備え、データ量削減手段は、ディジタル画像データの画素数を画素数設定手段で設定された画素数に低減することを特徴とする。この画像送信装置によると、ディジタル画像データの画素数をどこまで減らすかをユーザが設定できる。
更に、本発明に係る画像送信装置は、データ量削減手段は、ディジタル画像データをクロッピングすることでデータ量を減らすことを特徴とする。この画像送信装置によると、ディジタル画像データが表す画像の全体を送信できない反面、ディジタル画像データが表す画像においてクロッピングした一部の領域については画質及び大きさを維持しつつ送信できる。
【００１２】
更に、本発明に係る画像送信装置は、クロッピングする領域を設定するための領域設定手段を更に備え、データ量削減手段は、領域設定手段で設定された領域をクロッピングすることを特徴とする。この画像送信装置によると、クロッピングする領域をユーザが設定できる。
更に、本発明に係る画像送信装置は、通信料情報を入力するための通信料入力手段を更に備えることを特徴とする。これにより、通信ネットワークの料金体系が変更されたり、あるいは別の通信業者が運営する通信ネットワークに変更したりしても、通信料情報を容易に保守できる。
【００１３】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【００１４】
【発明の実施の形態】
以下、本発明の実施の形態を複数の図面に基づいて説明する。
図２は、本発明の一実施例に係る画像送信装置１を示す模式図である。画像送信装置１は、送信装置としての携帯電話２と、ディジタルカメラとしてのディジタルスチルカメラ（ＤＳＣ）３とで構成される。携帯電話２は基地局を介して通信ネットワークとしての携帯電話網Ｎに接続される。携帯電話網Ｎはパケット通信網であり、ユーザが送信したデータに対してパケット単位で課金する通信ネットワークである。
【００１５】
図３は、携帯電話２の構成を示すブロック図である。
無線通信部２３は、変調／復調回路、基地局と無線通信を行うアンテナなどを備える。無線通信部２３は、アンテナで受信した信号を復調することで音声データや電子メールデータなどの各種のディジタル信号を受信するとともに、各種のディジタル信号を変調してアンテナから送信する。
【００１６】
ＣＰＵ２２は、ＲＯＭ２１に記憶されているコンピュータプログラムを実行することにより、携帯電話２の全体を制御する。ＲＡＭ２５は、プログラムやデータを一時的に記憶するためのメモリである。
音声入出力部２４は、Ｄ／Ａコンバータ、Ａ／Ｄコンバータ、スピーカ、マイクなどを備える。音声入出力部２４は、無線通信部２３から入力される音声データをＤ／Ａコンバータによりアナログ信号に変換してスピーカで発音するとともに、マイクから入力されるアナログ信号をＡ／Ｄコンバータによりディジタルデータに変換して無線通信部２３に出力する。
【００１７】
操作部２６は、電話番号などを入力するための複数の番号ボタンスイッチ、発信を指示する発信ボタンスイッチ、応答を指示する応答ボタンスイッチ、モードの切り替えやＬＣＤ２９に表示される各種のメニューの選択を行うための押しボタンスイッチなどを備える。
ディスプレイコントローラ２８は、ＬＣＤ２９の一画面分の表示データを格納するためのフレームバッファと、フレームバッファに格納された表示データに基づいてＬＣＤ２９を駆動するための表示回路とを備える。
【００１８】
インタフェース部２７は、所定のシリアル通信規格に準拠してＤＳＣ３と相互に通信可能に構成されている。
図４（Ａ）はＤＳＣ３の外観を示す正面図であり、図４（Ｂ）は背面図である。図５は、ＤＳＣ３の構成を示すブロック図である。
光学系３１は、筐体５０に収容されたレンズ５２、絞り等で構成されている。光学系３１はイメージセンサ３２の受光面に被写体の光学像を結像させる。
【００１９】
撮像手段としてのイメージセンサ３２は、２次元空間に離散的に配置された光電変換素子とＣＣＤ（Ｃｈａｒｇｅ  Ｃｏｕｐｌｅｄ  Ｄｅｖｉｃｅ）等の電荷転送素子とを備えたエリアイメージセンサである。イメージセンサ３２は、センサコントローラ３３によって駆動される。イメージセンサ３２は、光電変換して得られる電荷を光電変換素子毎に一定時間蓄積し、光電変換素子毎の受光量に応じたアナログ信号を出力する。受光面にＣ（Ｃｙａｎ）、Ｍ（Ｍａｇｅｎｔａ）、Ｙ（Ｙｅｌｌｏｗ）及びＧ（Ｇｒｅｅｎ）の４色の補色フィルタ、又はＲ（Ｒｅｄ）、Ｇ（Ｇｒｅｅｎ）及びＢ（Ｂｌｕｅ）の原色フィルタを設けることによりカラー画像を形成することが可能になる。
【００２０】
撮像手段としてのＡ／Ｄ変換部（ＡＤＣ）３４は、イメージセンサ３２から出力されるアナログ信号を量子化しディジタル信号に変換する。具体的には例えば、ＡＤＣ３４は、アナログ信号に含まれる雑音の低減処理、ゲインの調整によるアナログ信号のレベル調整処理、量子化処理等を行う。
撮像手段としての画像形成部３５は、ＡＤＣ３４から出力されたディジタル信号に対し、画像形成処理、ホワイトバランス補正、γ補正、色空間変換等を施し、各画素についてＲ、Ｇ、Ｂの階調値や、Ｙ、Ｃｂ、Ｃｒの階調値などを表すディジタル画像データを出力する。尚、ここでいう画像形成処理とは、一色分の濃度情報からなる画素を近傍画素の異なる色の濃度情報で補間することにより画素毎にＲＧＢ又はＹＣｂＣｒの３つの階調値を持つディジタル画像データを出力する処理である。
【００２１】
撮像手段としての圧縮・伸張部３６は、ディジタル画像データを圧縮又は伸張する。具体的には、ディジタル画像データの系列変換及びエントロピー符号化を行うことによりディジタル画像データを所定の圧縮率で圧縮し、それらの逆変換を施すことによりディジタル画像データを伸張する。具体的には例えば離散コサイン変換、ウェーブレット変換、ランレングス符号化、ハフマン符号化等を用いてディジタル画像データを圧縮する。圧縮後のディジタル画像データはメモリコントローラ３７に出力される。
【００２２】
撮像手段としてのメモリコントローラ３７は、圧縮・伸張部３６で圧縮されたディジタル画像データを不揮発性メモリとしてのリムーバブルメモリ３８に格納する。
操作部４２は、ダイヤルスイッチ５３、押しボタンスイッチ５４、５５、５６、十字キー５８、シャッタスイッチ５９等を備える。ダイヤルスイッチ５３は回転角度に応じて撮影モード、印刷モード、出力モード等のモードを設定するためのダイヤルスイッチである。押しボタンスイッチ５４は、ＬＣＤ（Ｌｉｑｕｉｄ  Ｃｒｙｓｔａｌ  Ｄｉｓｐｌａｙ）４５にメニューを呼び出すためのスイッチである。押しボタンスイッチ５５、５６、十字キー５８は、ＬＣＤ４５に表示されるメニューを操作するためのスイッチである。シャッタスイッチ５９は、静止画像記録指示を入力するためのスイッチである。撮影モードでは、シャッタスイッチ５９を押すことにより静止画記録指示を入力することができる。
【００２３】
ＬＣＤ４５は、撮影モードで電子ビューファインダとして機能する。ディスプレイコントローラ４４は、ＬＣＤ４５の一画面分のディジタル画像データを格納するためのフレームバッファと、フレームバッファに格納されたディジタル画像データに基づいてＬＣＤ４５を駆動するための表示回路とを備える。
インタフェース部４３は、所定のシリアル通信規格に準拠して携帯電話２と相互に通信可能に構成されている。
【００２４】
ＣＰＵ３９は、ＲＯＭ４０に記憶されているコンピュータプログラムを実行することにより、ＤＳＣ３の全体を制御する。ワークメモリ４１は、プログラムやデータを一時的に記憶するためのメモリである。ＲＯＭ４０に格納されるプログラムや各種のデータは、所定のサーバからネットワークを介してダウンロードしてＲＯＭ４０に格納してもよいし、リムーバブルメモリ３８等のコンピュータ読み取り可能な記憶媒体から読み出してＲＯＭ４０に格納してもよい。
【００２５】
図６は、通信料情報を入力するための画面６０を示す図である。画面６０は、ＤＳＣ３において所定のメニューを選択することで表示される。通信料情報とは、通信ネットワークを運営する通信業者が通信料を求めるのに用いる情報と同じ情報のことをいい、本実施例においては１パケット当たりのデータ量及び１パケット当たりの通信料（パケット単価）のことをいうものとする。例えば十字キー５８の上や下を押下すると、パケット単価が０．０１円単位で増減する。このようにしてユーザは通信料情報を入力できる。入力された通信料情報は例えばリムーバブルメモリ３８に記憶される。
【００２６】
尚、本実施例では１パケット当たりのデータ量及びパケット単価を通信料情報としているが、１パケット当たりのデータ量及びパケット単価のみでは通信料情報を求められない場合、例えば契約によってある数以上のパケットについてパケット単価が引き下げられるような場合は、通信料を正確に見積もるのに必要なその他の情報を通信料情報に含めてもよい。
【００２７】
また、本実施例では通信料情報をユーザが画面６０で入力するが、例えば携帯電話網Ｎ経由でダウンロードすることで携帯電話２に入力してもよい。
図７は、ＤＳＣ３における画面の遷移を示す画面遷移図である。図８及び図９は、図７に示す各画面の詳細を示す図である。
画面６１は、送信するディジタル画像データを選択するためのディジタル画像データ選択画面である。画面６１はダイヤルスイッチ５３を回転させてモードを出力モードに設定することで表示される。画面６１において十字キー５８で右または左が押下されると、ＤＳＣ３はリムーバブルメモリ３８に格納されたディジタル画像データが表す画像を順に表示する。これによりユーザは送信するディジタル画像データを選択する。
【００２８】
画面６２は、見積通信料を通知するための通信料通知画面である。画面６２には、画面６１で選択されたディジタル画像データを送信した場合に徴収される通信料の見積（見積通信料）６２ａが表示される。これにより見積通信料がユーザに通知される。見積通信料が、予め設定されている上限額を越えている場合、図８に示すように警告６２ｂが表示される。これによりユーザは選択しているディジタル画像データの見積通信料が所定料を越えていることを知ることができる。画面６２において押しボタンスイッチ５６が押下されると画面６６に遷移し、携帯電話２からの要求を受付可能な状態で待機する。ただし、警告６２ｂが表示されていると押しボタンスイッチ５６は押下不能となる。
【００２９】
尚、警告は、例えば画面全体の色を変えることで行ってもよいし、スピーカなどを有する発音部を備える場合は音で行ってもよいし、ＬＥＤを備える場合はＬＥＤを発光させることで行ってもよい。
画面６３は、データ量を減らす方法を選択するための方法選択画面である。画面６３にはデータ量を減らす方法を選択するためのメニュー項目として［１  圧縮率の増大］、［２  画素数の低減］及び［３  クロッピング］が表示される。ユーザは画面６２で上限額を超えていることを警告された場合、画面６３においてデータ量を減らす方法を選択する。［２  画素数の低減］が選択されると画面６４に遷移する。［３  クロッピング］が選択されると画面６５に遷移する。［１  圧縮率の増大］が選択された場合は、圧縮率を増大させて圧縮を行った後に画面６２に戻る。
【００３０】
画面６４は、画素数を設定するための画素数設定画面である。ディジタル画像データの画素数を低減するとき、当該ディジタル画像データの画素数は画面６４で設定された画素数まで低減される。画面６４には、設定可能な画素数と当該画素数のディジタル画像データの見積通信料とがリスト表示される。ユーザは十字キー５８の上及び下を押すことで、見積通信料を参照しつつディジタル画像データの画素数をどこまで減らすかを設定できる。画面６４においてユーザにより上限額以内で送信できるデータ量となる画素数が指定されると、画素数の低減を行った後に画面６３に戻り、画面６２に戻る。このとき画面６２には警告は表示されなくなる。
【００３１】
画面６５は、クロッピングする領域を設定するためのクロッピング領域設定画面である。ここでクロッピングとは、画像の一部の領域を切り抜くことをいう。画面６５には、選択されたディジタル画像データと、ディジタル画像データが表す画像において切り抜く領域を設定するための切り抜き枠６５ａとが表示される。切り抜き枠６５ａは上限額丁度で送信できるデータ量のディジタル画像データが表す画像の大きさを表しており、ＤＳＣ３は設定されている上限額に応じて切り抜き枠６５ａの大きさを変化させる。切り抜き枠６５ａは十字キー５８で上下左右に移動することができる。これによりユーザはクロッピングする領域を設定できる。画面６５においてユーザにより領域が設定されると、クロッピングを行った後に画面６３に戻り、画面６２に戻る。このとき画面６２には警告は表示されなくなる。
【００３２】
画面６６は、ユーザに携帯電話２での操作を指示するための携帯電話操作指示画面である。ＤＳＣ３は画面６６に携帯電話２での操作を指示するメッセージを表示して携帯電話２からの要求を受付可能な状態で待機する。
図１０は、携帯電話２における画面の遷移を示す画面遷移図である。
画面７０は、ディジタル画像データのファイル名表示を指示する画面である。画面７０は携帯電話２において所定の操作スイッチで”カメラモード”を指定することで表示される。画面７０には、ファイル名の表示を指示するためのメニュー項目［１  ファイル名表示］が表示される。ユーザはカーソルを［１  ファイル名表示］に合わせて所定の押しボタンスイッチを押下することでファイル名表示を指示する。
【００３３】
画面７１は、ディジタル画像データのファイル名を表示する画面である。画面７１にはＤＳＣ３で選択したディジタル画像データのファイル名が表示される。画面７１において［メニュー］が選択されると画面７２が表示される。また、［表示］が選択されると図示しない画面が表示され、当該ディジタル画像データが表す画像がＬＣＤ４５に表示される。それによりユーザは送信するディジタル画像データを確認できる。
【００３４】
画面７２は、ディジタル画像データの出力をＤＳＣ３に指示する画面である。画面７２には、出力を指示するためのメニュー項目［１  保存］が表示される。ユーザはカーソルを［１  保存］に合わせて所定の押しボタンスイッチを押下することで出力を指示する。
図１は、画像送信装置１の処理の流れを示すフローチャートである。尚、以下の説明は、ユーザにより通信料情報が既に設定されたものとして説明する。
【００３５】
Ｓ１０５では、ユーザはシリアルケーブルでＤＳＣ３と携帯電話２とを有線接続する。
Ｓ１１０では、ユーザは出力モードを設定して画面６１を表示し、送信するディジタル画像データを選択して押しボタンスイッチ５６を押下する。
Ｓ１１５では、選択されたディジタル画像データの見積通信料を求め、画面６２に表示する。見積通信料は、具体的には例えば以下のように求める。ディジタル画像データのデータ量を１パケット当たりのデータ量で除し、小数点以下を切り上げてパケット数を求める。次に、求めたパケット数にパケット単価を乗ずる。これにより見積通信料が求められる。
【００３６】
Ｓ１２０では、見積通信料が所定の上限額を超えているか否かを判定し、越えているときはＳ１２５に進む。見積通信料が上限額以内のときはＳ１５５に進む。
Ｓ１２５では、画面６２に警告を表示して見積通信料が上限額を超えていることをユーザに通知する。
【００３７】
Ｓ１３０では、画面６３を表示してユーザにデータ量を減らす方法を選択させる
Ｓ１３５では、選択された方法を判定し、［１  圧縮率の増大］のときはＳ１４０、［２  画素数の低減］のときはＳ１４５、［３  クロッピング］のときはＳ１５０に進む。
【００３８】
Ｓ１４０では、ディジタル画像データを圧縮する。ＤＳＣ３はディジタル画像データを圧縮・伸張部３６で所定の圧縮率で圧縮しているため、送信するディジタル画像データは既に圧縮されていることになる。しかしながら、所定の圧縮率で圧縮した結果として通信料が上限額を超えているため、Ｓ１４０では上限額以内で送信できるデータ量に減るよう圧縮率を所定の圧縮率より高くして再び圧縮を行う。例えばディジタル画像データのファイル形式がＪＰＥＧ形式であるとき、圧縮率が高いほど圧縮において多くのデータが切り捨てられる。このため圧縮率を増大させると画質が劣化することになる。しかしながら、ディジタル画像データが表す画像の大きさを縮小することなくデータ量を減らすことができる。
【００３９】
Ｓ１４５では、ディジタル画像データの画素数を低減する。ＤＳＣ３は画面６４を表示し、画素数と見積通信料とを一覧表示する。画面６４でユーザにより画素数が選択されて押しボタンスイッチ５５が押下されると、ＤＳＣ３は選択されたディジタル画像データの画素数を、ユーザにより選択された画素数まで低減する。具体的に例えば、選択されたディジタル画像データの画素数が６４０×４８０画素であり、ユーザが設定した画素数が１２０×９０画素であったとすると、ＤＳＣ３は選択されたディジタル画像データの画素を間引くことによって画素数を１２０×９０画素まで減らす。画素数を低減すると、ディジタル画像データが表す画像の大きさが縮小される反面、画質をほぼ維持しつつ送信できる。
【００４０】
Ｓ１５０では、ディジタル画像データをクロッピングする。ＤＳＣ３は画面６５を表示してユーザにクロッピングする領域を設定させる。領域が設定されると、ＤＳＣ３は、ディジタル画像データから設定された領域を表すデータを抽出する。クロッピングすると、ディジタル画像データが表す画像の全体を送信できない反面、一部の領域については画質及び大きさを維持しつつ送信できる。
【００４１】
Ｓ１５５では、画面６６を出力して待機し、携帯電話２から出力が指示されると、ＤＳＣ３は選択されたディジタル画像データ又はデータ量を減らした後のディジタル画像データを携帯電話２に出力する。
図１１は、携帯電話２がディジタル画像データを送信する処理の流れを示すフローチャートである。
【００４２】
Ｓ２０５では、ユーザは所定の所定のスイッチで”カメラモード”を選択する。
Ｓ２１０では、携帯電話２は画面７０を表示する。ユーザは画面７０でファイル名の表示を指示する。
Ｓ２１５では、携帯電話２はＤＳＣ３に選択されたディジタル画像データのファイル名を要求する。
【００４３】
Ｓ２２０では、ＤＳＣ３は選択されたディジタル画像データのファイル名を携帯電話２に出力する。携帯電話２は出力されたファイル名を画面７１に表示する。
Ｓ２２５では、携帯電話２は画面７２を表示する。画面７２においてユーザにより［１  保存］が選択されると、選択されたディジタル画像データの出力をＤＳＣ３に指示する。ＤＳＣ３は出力が指示されると、当該ディジタル画像データを携帯電話２に出力する。
【００４４】
Ｓ２３０では、ユーザは携帯電話２で当該ディジタル画像データを電子メールに添付して送信を指示し、携帯電話２は当該電子メールを表すデータを無線通信部２３から携帯電話網Ｎに送信する。
以上説明した本発明の一実施例に係る画像送信装置１によると、見積通信料が所定の上限額を越えるとき、画像送信装置１は上限額以内で送信できるデータ量に減らして送信する。よってこの画像送信装置１によると、ディジタル画像データの通信料を所定の上限額以内に容易に且つより確実に抑えることができる。
【００４５】
尚、本実施例ではデータ量の削減を［１  圧縮率の増大］、［２  画素数の低減］、又は［３  クロッピング］のいずれか一つの方法で行っているが、それらを組み合わせて実行してもよい。例えば、クロッピングを行ったディジタル画像データの画素数を低減し、更に圧縮率を増大させてデータ量を低減してもよい。
また、本実施例ではディジタルカメラとしてＤＳＣ１を例に説明したが、ディジタルビデオカメラに本発明を適用してもよい。
【００４６】
また、本実施例では画像送信装置を携帯電話２とＤＳＣ３とで構成する場合を例に説明したが、例えばパーソナルコンピュータと携帯電話とで画像送信装置を構成してもよいし、ディジタルカメラ機能付きの携帯電話のみで画像送信装置を構成してもよい。また、ＰＨＳ機能カード等を利用するディジタルカメラで画像送信装置を構成してもよい。
【００４７】
また、本実施例では選択されたディジタル画像データの通信料が所定の上限額を越えていても、当該ディジタル画像データのデータ量を減らして送信しているが、所定の上限額を越えるときは送信しないようにしてもよい。すなわち、選択されたディジタル画像データの通信料が所定の上限額以内のときのみ送信するようにしてもよい。この場合、送信手段としてのＣＰＵ２２が送信しないよう制御することで送信しないようにしてもよいし、出力手段としてのＣＰＵ３９が携帯電話２にディジタル画像データを出力しないよう制御することで送信しないようにしてもよい。
【００４８】
また、上限額を設定するための手段を備え、ユーザが上限額を設定できるようにしてもよい。これによりそれぞれのユーザの事情に応じて上限額を決めることができる。
【図面の簡単な説明】
【図１】画像送信装置の処理の流れを示すフローチャートである。
【図２】画像送信装置を示す模式図である
【図３】送信装置の構成を示すブロック図である。
【図４】（Ａ）はディジタルカメラの正面図、（Ｂ）は背面図である。
【図５】ディジタルカメラの構成を示すブロック図である。
【図６】通信料情報を入力するための画面を示す図である。
【図７】ディジタルカメラの画面遷移図である。
【図８】（Ａ）はディジタル画像データ選択画面、（Ｂ）は通信料通知画面、（Ｃ）は方法選択画面を示す図である。
【図９】（Ｄ）は画素数設定画面、（Ｅ）はクロッピング領域設定画面、（Ｆ）は携帯電話操作指示画面を示す図である。
【図１０】送信装置の画面遷移図である。
【図１１】送信装置の処理の流れを示すフローチャートである。
【符号の説明】
１  画像送信装置、２  携帯電話（送信装置）、３  ディジタルスチルカメラ（ディジタルカメラ）、２２  ＣＰＵ（送信手段）、２３  無線通信部（送信手段）、２７  インタフェース部、３１  光学系、３２  イメージセンサ（撮像手段）、３５  画像形成部（撮像手段）、３６  圧縮・伸張部（撮像手段、データ量削減手段）、３７  メモリコントローラ（撮像手段）、３８  リムーバブルメモリ（不揮発性メモリ）、３９  ＣＰＵ（選択手段、通信料通知手段、警告手段、データ量削減手段、画素数設定手段、領域設定手段、通信料入力手段、撮像手段、出力手段）、４２  操作部（選択手段、画素数設定手段、領域設定手段、通信料入力手段）、４３  インタフェース部（出力手段）、４５  ＬＣＤ（選択手段、通信料通知手段、画素数設定手段、領域設定手段、通信料入力手段、警告手段）
【図１】
2004221731.tif 000003
【図２】
2004221731.tif 000004
【図３】
2004221731.tif 000005
【図４】
2004221731.tif 000006
【図５】
2004221731.tif 000007
【図６】
2004221731.tif 000008
【図７】
2004221731.tif 000009
【図８】
2004221731.tif 000010
【図９】
2004221731.tif 000011
【図１０】
2004221731.tif 000012
【図１１】
2004221731.tif 000013